(57)【要約】  【課題】  構造が簡易で、組み立て作業が容易で、かつ製造コストを節減できるスライドカバーを提供する。  【解決手段】  前ハウジングに一対のスライド溝を設け、且つ該前ハウジング内に該カメラの電源を制御する磁性誘導スイッチを設けたカメラの該スライド溝にスライドカバーを摺動自在に設け、且つ該スライドカバーには該スライドカバーが該スライド溝内を摺動して開いた状態において、該磁性誘導スイッチの反応範囲に対応する位置に該永久磁石を設ける。【選択図】  図１
0003110167.tif 000002
【実用新案登録請求の範囲】
【請求項１】
カメラのレンズを保護するスライドカバーであって、
該カメラの前ハウジングに、該スライドカバーの両端縁部を挿入する一対のスライド溝を設け、且つ該前ハウジング内に該カメラの電源を制御する磁性誘導スイッチを設け、該スライドカバーに永久磁石を設け、
該スライドカバーが該スライド溝内を摺動して開いた状態になると、該永久磁石が該磁性誘導スイッチに接近し、該カメラの電源が通電状態になるように構成したことを特徴とするスライドカバー。
【請求項２】
前記スライドカバーが透明の材質によってなることを特徴とする請求項１に記載のスライドカバー。
【請求項３】
前記スライドカバーが半透明の材質によってなることを特徴とする請求項１に記載のスライドカバー。
【請求項４】
前記永久磁石が該スライドカバー内に設けられることを特徴とする請求項１に記載のスライドカバー。
【請求項５】
前記永久磁石が、該スライドカバーが摺動して該カメラのレンズが露出した場合、該磁性反応スイッチが反応する位置に設けられることを特徴とする請求項１に記載のスライドカバー。
【請求項６】
前記スライドカバーにレンズ形状ミーラーを設けることを特徴とする請求項１に記載のスライドカバー。
【請求項７】
前記スライドカバーにレンズ形状ミーラーを設け、該永久磁石を設ける位置を遮蔽することを特徴とする請求項１に記載のスライドカバー。
【請求項８】
前記スライドカバーが摺動する際の摩擦による抵抗を減少させるために、該スライドカバーの端縁部に耐磨耗特性を具え、且つ摩擦係数の低い材質を設けることを特徴とする請求項１に記載のスライドカバー。
【請求項９】
前記スライドカバーが摺動する際の摩擦による抵抗を減少させるために、該スライドカバーの端縁部に耐磨耗特性を具え、且つ摩擦係数の低いテフロン（登録商標）材などによるフィルムを貼着することを特徴とする請求項１に記載のスライドカバー
【請求項１０】
前記スライドカバーの片側部を凸状にして、該スライドカバーをスライドさせる場合に押圧する押圧部を形成することを特徴とする請求項１に記載のスライドカバー。
【請求項１１】
前記スライドカバーの端縁部に切り欠き溝を形成し、該前ハウジングのスライド溝内に、該切り欠き溝に係合する弾性部材を設けて該スライドカバーを摺動させる場合、カチッと係合する感覚が得られるように構成することを特徴とする請求項１に記載のスライドカバー。
【請求項１２】
前記スライドカバーが移動する場合、前ハウジングの表面が摩擦によって傷つくことを防ぐために、前記スライドカバー内にローラを設け、該ローラによって該スライドカバーを支持することを特徴とする請求項１に記載のスライドカバー。
【考案の詳細な説明】
【技術分野】
【０００１】
この考案はカメラのレンズを保護するカバーに関し、特にスライド方式で開閉し、かつカメラの電源を制御する手段を具えるスライドカバーに関する。
【背景技術】
【０００２】
カメラのレンズを保護するカバーで、カメラ本体に摺動自在に設けられたレンズカバーは、同様にレンズを保護する目的でありながら、業者はそれぞれ異なる構造のものを開発している。例えばアメリカ合衆国特許第４,５５７,５７４号、６,２５７,７７６号、６,３２２,２５９号、６,４９１,４４８号などにおいて、レンズカバーは容器状のハウジングでカメラ本体を伸縮自在に被覆してなり、撮影する場合レンズカバーのハウジングからカメラのレンズを露出させる。また、レンズカバーには一部の操作ボタン、もしくはフラッシュなどが設けられ、フレキシブルなプリントボード、もしくはバスなどでカメラ本体内の回路ボードに電気的に接続する。但し、かかる構造は複雑であって、組み立て作業に不便である。
【０００３】
また、アメリカ合衆国特許４,２４０,３５号、４,５２２,４７８号、５,８０５,９４７号などにおいても、簡易な構造のスライドカバーを開示している。即ち、カメラ本体に設けられるスライド式のレンズカバーであるが、これらはいずれも単純な遮蔽作用しかなく、その他開閉器、もしくは構造を作動させる機能は具えない。
【０００４】
アメリカ合衆国特許第５,８１９,１２７号、５,８９２,９９６号、６,０７９,８８３号、６,４２４,８０３号などに開示されるカメラのスライドカバーは、スライドカバーの背面に溝を形成し、一部の部材を連動させる構造を具える。但し、構造が複雑で、組み立て作業に不便である。
【０００５】
スライド式のレンズカバーで電源の開閉器を制御する構造を最先に開発した業者はオリンパス株式会社であると言われている。該構造は、スライドカバー内に、開始点と終了点に接触するプレートスイッチを設け、かつ圧縮バネと金属ボールとによってスライドカバーがカチッと係合する感覚を与える。かかる構造は内蔵する部材の点数が多くなるので、スライドカバーの構造部の厚さが増す。しかも、レンズカバーの外部表面に塗装処理などを施さなければ内蔵する部材が露出して、外観の美観を損なう。したがって、構造が簡易であり、組み立て作業が容易で、製造コストを節減できるスライドカバーが望まれている。
【０００６】
【特許文献１】アメリカ合衆国特許第４,５５７,５７４号公報
【特許文献２】アメリカ合衆国特許第６,２５７,７７６号公報
【特許文献３】アメリカ合衆国特許第６,３２２,２５９号公報
【特許文献４】アメリカ合衆国特許第６,４９１,４４８号公報
【特許文献５】アメリカ合衆国特許第４,２４０,３５号公報
【特許文献６】アメリカ合衆国特許第４,５２２,４７８号公報
【特許文献７】アメリカ合衆国特許第５,８０５,９４７号公報
【特許文献８】アメリカ合衆国特許第５,８１９,１２７号公報
【特許文献９】アメリカ合衆国特許第５,８９２,９９６号公報
【特許文献１０】アメリカ合衆国特許第６,０７９,８８３号公報
【特許文献１１】アメリカ合衆国特許第６,４２４,８０３号公報
【考案の開示】
【考案が解決しようとする課題】
【０００７】
この考案は、カメラの電源制御手段を具え、構造が簡易で、組み立て作業が容易で、かつ製造コストを節減できるスライドカバーを提供することを課題とする。
【課題を解決するための手段】
【０００８】
そこで、本考案者は従来の技術に見られる欠点に鑑み鋭意研究を重ねた結果、前ハウジングに一対のスライド溝を設け、且つ該前ハウジング内に該カメラの電源を制御する磁性誘導スイッチを設けたカメラの該スライド溝にスライドカバーを摺動自在に設け、且つ該スライドカバーに永久磁石を設け、該永久磁石を設ける位置が該スライドカバーが該スライド溝内を摺動して開いた状態において、該磁性誘導スイッチの反応範囲に対応する位置であるスライドカバーの構造によって課題を解決できる点に着眼し、かかる知見に基づいて本発明を完成させた。
以下、この考案について具体的に説明する。
【０００９】
請求項１に記載するスライドカバーは、カメラのレンズを保護するスライドカバーであって、
該カメラの前ハウジングに、該スライドカバーの両端縁部を挿入する一対のスライド溝を設け、且つ該前ハウジング内に該カメラの電源を制御する磁性誘導スイッチを設け、該スライドカバーに永久磁石を設け、
該スライドカバーが該スライド溝内を摺動して開いた状態になると、該永久磁石が該磁性誘導スイッチに接近し、該カメラの電源が通電状態になるように構成する。
【００１０】
請求項２に記載するスライドカバーは、請求項１におけるスライドカバーが透明の材質によってなる。
【００１１】
請求項３に記載するスライドカバーは、請求項１におけるスライドカバーが半透明の材質によってなる。
【００１２】
請求項４に記載するスライドカバーは、請求項１における永久磁石が該スライドカバー内に設けられる。
【００１３】
請求項５に記載するスライドカバーは、請求項１における記永久磁石が、該スライドカバーが摺動して該カメラのレンズが露出した場合該磁性反応スイッチが反応する位置に設けられる。
【００１４】
請求項６に記載するスライドカバーは、請求項１におけるスライドカバーにレンズ形状ミーラーを設ける。
【００１５】
請求項７に記載するスライドカバーは、請求項１におけるスライドカバーにレンズ形状ミーラーを設け、該永久磁石を設ける位置を遮蔽する。
【００１６】
請求項８に記載するスライドカバーは、該スライドカバーが摺動する際の摩擦による抵抗を減少させるために、請求項１におけるスライドカバーの端縁部に耐磨耗特性を具え、且つ摩擦係数の低い材質を設ける。
【００１７】
請求項９に記載するスライドカバーは、該スライドカバーが摺動する際の摩擦による抵抗を減少させるために、請求項１におけるスライドカバーの端縁部に耐磨耗特性を具え、且つ摩擦係数の低いテフロン（登録商標）材などによるフィルムを貼着する。
【００１８】
請求項１０に記載するスライドカバーは、請求項１におけるスライドカバーの片側部を凸状にして、該スライドカバーをスライドさせる場合に押圧する押圧部を形成する。
【００１９】
請求項１１に記載するスライドカバーは、請求項１におけるスライドカバーの端縁部に切り欠き溝を形成し、該前ハウジングのスライド溝内に、該切り欠き溝に係合する弾性部材を設けて該スライドカバーを摺動させる場合、カチッと係合する感覚が得られるように構成する。
【００２０】
請求項１２に記載するスライドカバーは、該スライドカバーが移動する場合、前ハウジングの表面が摩擦によって傷つくことを防ぐために、請求項１におけるスライドカバー内にローラを設け、該ローラによって該スライドカバーを支持する。
【考案の効果】
【００２１】
本考案のスライドカバーは構造が簡易で、組み立て作業が容易で、かつ製造コストを節減できるという利点がある。
【考案を実施するための最良の形態】
【００２２】
この考案はスライド方式で開閉し、かつカメラの電源を制御する手段を具えるスライドカバーを提供するものであって、前ハウジングに一対のスライド溝を設け、且つ該前ハウジング内に該カメラの電源を制御する磁性誘導スイッチを設けたカメラの該スライド溝にスライドカバーを摺動自在に設け、且つ該スライドカバーには該スライドカバーが該スライド溝内を摺動して開いた状態において、該磁性誘導スイッチの反応範囲に対応する位置に永久磁石を設けて構成し、構造が簡易で、組み立て作業が容易で、かつ製造コストを節減できるという目的を、実現した。
係る構成のスライドカバーについて、その構造と特徴を詳述するために具体的な実施例を挙げ、以下に説明する。
【実施例】
【００２３】
この考案によるカメラのスライドカバー１０は、図１に開示するように摺動自在に設けられカメラの前ハウジング２０に設けられる。前ハウジング２０には一対のスライド溝２１を形成し、スライドカバー１０の端縁部１２の挿入に供する。前ハウジング２０内には回路ボード３２に電気的に接続し、カメラの電源を制御する誘導スイッチ３１を設ける。スライドカバー１０には永久磁石３０を設ける。この場合、例えば図示するようにスライドカバー１０内に設け、スライドカバー１０を動かし、カメラのレンズを露出させた場合、永久磁石３０の位置が磁性誘導スイッチ３１の反応範囲内に到り通電状態となるように構成する。
【００２４】
図２、３に開示するようにスライドカバー１０は使用者の操作の便宜を計るため、片側部を凸状にして押圧部１１を形成し、親指もしくはその他の指がスライドカバー１０に係り易くする。
【００２５】
図示するようにスライドカバー１０を閉じた状態において、永久磁石３０は磁性誘導スイッチ３１の反応範囲から離れた位置にあり、この状態においてカメラの電源はＯＦＦとなる。スライドカバー１０を開けてレンズを完全に露出させた状態において、永久磁石３０が磁性誘導スイッチ３１の反応範囲内に到り、カメラの電源がＯＮとなる。
【００２６】
従来の市販されるカメラには透明のスライドカバーが無い。商品のデザインに新奇な感覚を与えるためにこの考案によるスライドカバー１０は透明、もしくは半透明のプラスチック材で形成してもよい。また、図４、図５に開示するようにレンズ形状ミーラー４０、もしくはアクセサリを設けて永久磁石３０を遮蔽してもよい。その操作の原理は上述と同様である。磁性誘導スイッチ３１は市販されているマグネットスイッチか、もしくは磁性で制御する集積回路(IC)であってもよい。
【００２７】
スライドカバー１０が摺動する際の摩擦による抵抗を減少させるためにスライドカバー１０と前ハウジング２０との間に摩擦係数が低く、耐磨耗性に優れた材質を設けてもよい。図６、７によれば、例えばテフロン（登録商標）材などの摩擦係数が低く、耐磨耗性に優れた材質によるフィルムであるシール１３を貼着する。
【００２８】
好ましくは図８に開示するようにスライドカバー１０の内側にローラ１４を設けてスライドカバーを支持し、順調に摺動するように構成する。この場合、押圧部１１に過度の力が加えられ、スライドカバー１０が移動する場合、前ハウジング２０の表面が摩擦によって傷つくことを防ぐ効果を有する。更にスライドカバー１０を開閉した場合、カチッと係合する感覚が得られるように、前ハウジング２０に弾性部材１６を設けてスライド溝２１内に一部を突出させてもよい。この場合、スライドカバー１０の端縁部１２には、スライドカバー１０の全開状態において、該弾性部材１６の突出部に対応する位置か、もしくはスライドカバー１０を閉じた状態において、弾性部材１６の突出部に対応する位置に切り欠き溝１５を形成する。よってスライドカバー１０を全開状態にするか、もしくは閉じた状態にする場合、スライドカバー１０の端縁部１２がスライド溝２１内を摺動し、弾性部材１６の突出部が該切り欠き溝１５内に係合し、使用者にカチッと係合する感覚を与えることができる。
【００２９】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００３０】
【図１】この考案によるスライドカバーを設けたカメラの説明図である。
【図２】図１に開示するカメラの電源がＯＦＦの状態におけるスライドカバーの位置を示した説明図である。
【図３】図１に開示するカメラの電源がＯＮの状態におけるスライドカバーの位置を示した説明図である。
【図４】他の実施形態によるスライドカバーであって、カメラの電源がＯＦＦの状態におけるスライドカバーの位置を示した説明図である。
【図５】他の実施形態によるスライドカバーであって、カメラの電源がＯＮの状態におけるスライドカバーの位置を示した説明図である。
【図６】その他実施形態によるスライドカバーとカメラの前ハウジングの断面図である。
【図７】別の実施形態によるスライドカバーとカメラの前ハウジングの断面図である。
【図８】更に別の実施形態によるスライドカバーとカメラの前ハウジングの断面図である。
【符号の説明】
【００３１】
１０          スライドカバー
１１          押圧部
１２          端縁部
１３          シール
１４          ローラ
１５          切り欠き溝
１６          弾性部材
２０          前ハウジング
２１          スライド溝
３０          永久磁石
３１          磁性誘導スイッチ
３２          回路ボード
４０          レンズ形状ミーラー
【図１】
0003110167.tif 000003
【図２】
0003110167.tif 000004
【図３】
0003110167.tif 000005
【図４】
0003110167.tif 000006
【図５】
0003110167.tif 000007
【図６】
0003110167.tif 000008
【図７】
0003110167.tif 000009
【図８】
0003110167.tif 000010